(57)【特許請求の範囲】
【請求項１】
本体吸込口と本体吹出口を有する本体ケースと、前記本体ケース内に設けられた加熱手段と、前記本体吸込口から前記本体吹出口へ前記加熱手段を介して送風する送風手段とを備えた乾燥装置本体と、前記本体吹出口と乾燥マット等を連通接続するホースとからなり、夏季のふとん乾燥時に、温風送風運転後に送風のみの運転を行う夏季ふとん乾燥モードを備えたふとん乾燥装置であって、前記送風手段の送風路に、高電圧が印加される放電極と、前記放電極に対向して設けた対向電極と、冷却部と放熱部を設けた熱交換部とからなる静電霧化手段を配設し、前記夏季ふとん乾燥モードでは、前記温風送風運転後の送風のみの運転時に前記静電霧化手段を作動させ、前記静電霧化手段は、前記温風送風運転の時間より短くあらかじめ設定された第１の所定時間作動させ、前記温風送風運転後の送風のみの運転が第２の所定時間経過した後に、前記静電霧化手段を作動させる構成としたことを特徴とするふとん乾燥装置。
【請求項２】
前記温風送風運転後の送風のみの運転を行わない通常ふとん乾燥モードを備え、通常ふとん乾燥モードでは、前記静電霧化手段を作動させた送風のみの運転を行った後に、前記静電霧化手段を停止した温風送風運転を行う構成としたことを特徴とする請求項１に記載のふとん乾燥装置。
【請求項３】
前記通常ふとん乾燥モードにおける静電霧化手段の作動時間は、前記温風送風運転の時間より短くあらかじめ設定された第３の所定時間としたことを特徴とする請求項２に記載のふとん乾燥装置。
【請求項４】
衣類に温風を送って衣類を乾燥させる衣類乾燥モードを備え、前記衣類乾燥モードでは、温風送風運転後に、前記静電霧化手段を作動させた送風のみの運転を行う構成としたことを特徴とする請求項１〜３のいずれかに記載のふとん乾燥装置。
【請求項５】
前記衣類乾燥モードにおける温風送風運転の時間は、夏季または通常のふとん乾燥モードにおける温風送風運転の時間より長いことを特徴とする請求項４に記載のふとん乾燥装置。
【請求項６】
前記静電霧化手段を作動させた送風のみの運転時間は、前記衣類乾燥モードの方が夏季または通常のふとん乾燥モードより短いことを特徴とする請求項４または５に記載のふとん乾燥装置。
【請求項７】
靴に温風を送って靴を乾燥させる靴乾燥モードを備え、前記靴乾燥モードでは、温風送風運転後に、前記静電霧化手段を作動させた送風のみの運転を行う構成としたことを特徴とする請求項１〜６のいずれかに記載のふとん乾燥装置。
【請求項８】
前記靴乾燥モードにおける温風送風運転の時間は、夏季または通常のふとん乾燥モードにおける温風送風運転の時間より短いことを特徴とする請求項７に記載のふとん乾燥装置。
【請求項９】
前記静電霧化手段を作動させた送風のみの運転時間は、前記靴乾燥モードの方が夏季または通常のふとん乾燥モードより短いことを特徴とする請求項７または８に記載のふとん乾燥装置。
【請求項１０】
前記静電霧化手段を作動させた送風のみの運転を単独で操作可能としたイオン放出モードを備えたことを特徴とする請求１〜９のいずれかに記載のふとん乾燥装置。
【請求項１１】
前記イオン放出モードの運転時間は、前記夏季または通常のふとん乾燥モード、前記衣類乾燥モードおよび靴乾燥モードのそれぞれにおける静電霧化手段を作動させた送風のみの運転時間としてあらかじめ設定された所定時間から選択可能としたことを特徴とする請求項１０に記載のふとん乾燥装置。
【請求項１２】
前記イオン放出モードの運転時間は、前記夏季または通常のふとん乾燥モード、前記衣類乾燥モード、靴乾燥モードの順に短いことを特徴とする請求項１１に記載のふとん乾燥装置。
【発明の詳細な説明】
【技術分野】
【０００１】
本発明は、温風を乾燥マット等に供給してふとん等を乾燥するふとん乾燥装置に関するものである。
【背景技術】
【０００２】
従来より、この種のふとん乾燥装置は、例えば特許文献１に開示されるように、本体から発生する温風をホースで連通接続したエアマットに送風し、このエアマットでふとんを乾燥していた。
【０００３】
特許文献１に記載のふとん乾燥機は、エアマットを広げて掛けふとんと敷きふとんの間に配設した後、温風を本体からホースを通してエアマットに送り、送られた温風がエアマットから吹き出されて掛けふとんと敷きふとんの間を通過し、それぞれのふとんの湿気を除去して乾燥するものである。
【０００４】
ところで、ふとんには湿気が含まれることの他に、花粉やダニの死骸、糞が付着することがある。
【０００５】
そこで、花粉やダニの死骸、糞によるアレルギー活性を不活化する抗アレルゲン物質を乾燥マットに含浸させたふとん乾燥機が提案されている（例えば、特許文献２参照）。
【先行技術文献】
【特許文献】
【０００６】
【特許文献１】特開２０００−２７９６９７号公報
【特許文献２】特開２００５−５８５９６号公報
【発明の概要】
【発明が解決しようとする課題】
【０００７】
特許文献１に記載のふとん乾燥機では、温風をふとんに生息するダニに長時間吹き付けて死滅させることができるが、温風送風の運転後に死骸や糞をふとんから掃除機で吸い取って除去する等の手間が必要である。
【０００８】
また、特許文献２に記載のふとん乾燥機では、花粉やダニの死骸、糞によるアレルギー活性を不活化することができるが、不活化する抗アレルゲン物質を乾燥マットに含浸させているので、長期間使用すると不活化の作用が低下してきて、花粉・ダニ対策のためには定期的に乾燥マットを交換しなければならない。
【０００９】
そこで、本発明は、上記従来の課題を解決して、手間なく、また、乾燥マット等の付属品や構成部品を長期にわたって交換することなく、安定して花粉やダニの死骸、糞によるアレルギー活性を不活化することができるふとん乾燥装置を提供することを目的とする。
【課題を解決するための手段】
【００１０】
そして、この目的を達成するために、本発明のふとん乾燥装置は、夏季のふとん乾燥時に、温風送風運転後に送風のみの運転を行う夏季ふとん乾燥モードを備えたふとん乾燥装置であって、前記送風手段の送風路に、高電圧が印加される放電極と、前記放電極に対向して設けた対向電極と、冷却部と放熱部を設けた熱交換部とからなる静電霧化手段を配設し、前記夏季ふとん乾燥モードでは、前記温風送風運転後の送風のみの運転時に前記静電霧化手段を作動させ、前記静電霧化手段は、前記温風送風運転の時間より短くあらかじめ設定された第１の所定時間作動させ、前記温風送風運転後の送風のみの運転が第２の所定時間経過した後に、前記静電霧化手段を作動させる構成としたものである。
【発明の効果】
【００１１】
本発明によれば、ふとん乾燥運転時の送風のみの運転時に静電霧化手段から発生する帯電微細水滴によって、花粉やダニの死骸、糞によるアレルギー活性を不活化することができ、併せて、ふとんの付着臭を脱臭でき、しかも、この静電霧化手段は、放電極に水分を結露させて付着し、結露した放電極に高電圧をかけて帯電微細水滴を発生させるものなので、定期的に交換する必要がない。また、この送風のみの運転は、夏季に温風送風乾燥によりふとんに蓄積した熱気を取り除くことができ、夏季ふとん乾燥モードによれば、静電霧化手段を温風送風によるふとん乾燥後の熱気を取り除く送風のみの運転時に作動させるので、静電霧化手段の作動時間として別途設けることなく、安定して帯電微細水滴を供給することができる。
【図面の簡単な説明】
【００１２】
【図１】本発明の実施の形態１のふとん乾燥装置を示す正面図
【図２】同ふとん乾燥装置のふとん乾燥運転状態図
【図３】同ふとん乾燥装置の操作部を示す正面図
【図４】同ふとん乾燥装置の夏季ふとん乾燥モードにおける運転の説明図
【図５】同ふとん乾燥装置の通常ふとん乾燥モードにおける運転の説明図
【図６】同ふとん乾燥装置の衣類乾燥モードにおける運転の説明図
【図７】同ふとん乾燥装置の靴乾燥モードにおける運転の説明図
【発明を実施するための形態】
【００１３】
本発明の請求項１記載のふとん乾燥装置は、本体吸込口と本体吹出口を有する本体ケースと、前記本体ケース内に設けられた加熱手段と、前記本体吸込口から前記本体吹出口へ前記加熱手段を介して送風する送風手段とを備えた乾燥装置本体と、前記本体吹出口と乾燥マット等を連通接続するホースとからなり、夏季のふとん乾燥時に、温風送風運転後に送風のみの運転を行う夏季ふとん乾燥モードを備えたふとん乾燥装置であって、前記送風手段の送風路に、高電圧が印加される放電極と、前記放電極に対向して設けた対向電極と、冷却部と放熱部を設けた熱交換部とからなる静電霧化手段を配設し、前記夏季ふとん乾燥モードでは、前記温風送風運転後の送風のみの運転時に前記静電霧化手段を作動させ
、前記静電霧化手段は、前記温風送風運転の時間より短くあらかじめ設定された第１の所定時間作動させ、前記温風送風運転後の送風のみの運転が第２の所定時間経過した後に、前記静電霧化手段を作動させる構成としたものであり、ふとん乾燥運転時の送風のみの運転時に静電霧化手段から発生する帯電微細水滴によって、花粉やダニの死骸、糞によるアレルギー活性を不活化することができ、併せて、ふとんの付着臭を脱臭でき、しかも、この静電霧化手段は、放電極に水分を結露させて付着し、結露した放電極に高電圧をかけて帯電微細水滴を発生させるものなので、定期的に交換する必要がない。また、この送風のみの運転は、夏季に温風送風乾燥によりふとんに蓄積した熱気を取り除くことができ、夏季ふとん乾燥モードによれば、静電霧化手段を温風送風によるふとん乾燥後の熱気を取り除く送風のみの運転時に作動させるので、静電霧化手段の作動時間として別途設けることなく、安定して帯電微細水滴を供給することができる、という効果を奏する。
【００１７】
また、請求項２記載のふとん乾燥装置は、請求項１に記載のふとん乾燥装置において、前記温風送風運転後の送風のみの運転を行わない通常ふとん乾燥モードを備え、通常ふとん乾燥モードでは、前記静電霧化手段を作動させた送風のみの運転を行った後に、前記静電霧化手段を停止した温風送風運転を行う構成としたものであり、静電霧化手段の放電極に結露しにくくなる温風送風運転の前に静電霧化手段を作動させた送風のみの運転を行うので、通常ふとん乾燥モードでも、花粉やダニの死骸、糞によるアレルギー活性の不活化、およびふとんへの付着臭の脱臭が効率的になされることとなる。
【００１８】
また、請求項３記載のふとん乾燥装置は、請求項２に記載のふとん乾燥装置において、前記通常ふとん乾燥モードにおける静電霧化手段の作動時間は、前記温風送風運転時間より短くあらかじめ設定された第３の所定時間としたものであり、夏季ふとん乾燥モードと同様に、上記の不活化および脱臭に必要な静電霧化手段の作動時間は、ふとん乾燥のための温風送風運転時間より短くて十分であり、効率的な運転ができる。
【００１９】
また、請求項４記載のふとん乾燥装置は、請求項１〜３のいずれかに記載のふとん乾燥装置において、衣類に温風を送って衣類を乾燥させる衣類乾燥モードを備え、前記衣類乾燥モードでは、温風送風運転後に、前記静電霧化手段を作動させた送風のみの運転を行う構成としたものであり、衣類乾燥カバー等をホースに接続し、衣類乾燥カバー等内に衣類を吊るして温風を吹き込むことにより衣類を乾燥することができ、引き続いて静電霧化手段を作動させた送風のみの運転を行うことによって、衣類に付着した臭いの脱臭がなされることとなる。
【００２０】
また、請求項５記載のふとん乾燥装置は、請求項４に記載のふとん乾燥装置において、前記衣類乾燥モードにおける温風送風運転の時間は、夏季または通常のふとん乾燥モードにおける温風送風運転の時間より長いものであり、洗濯した衣類がからっと乾燥される。
【００２１】
また、請求項６記載のふとん乾燥装置は、請求項４または５に記載のふとん乾燥装置において、前記静電霧化手段を作動させた送風のみの運転時間は、前記衣類乾燥モードの方が夏季または通常のふとん乾燥モードより短いものであり、洗濯し乾燥した衣類に対する静電霧化手段の作動時間は、ふとん乾燥モードにおける静電霧化手段の作動時間より短くて十分である。
【００２２】
また、請求項７記載のふとん乾燥装置は、請求項１〜６のいずれかに記載のふとん乾燥装置において、靴に温風を送って靴を乾燥させる靴乾燥モードを備え、前記靴乾燥モードでは、温風送風運転後に、前記静電霧化手段を作動させた送風のみの運転を行う構成としたものであり、靴内全体に空気が流れやすく構成された吹出口等をホースに接続し、靴内に温風を吹き込むことにより靴を乾燥することができ、引き続いて静電霧化手段を作動させた送風のみの運転を行うことによって、靴に付着した臭いを脱臭できることとなる。
【００２３】
また、請求項８記載のふとん乾燥装置は、請求項７に記載のふとん乾燥装置において、前記靴乾燥モードにおける温風送風運転の時間は、夏季または通常のふとん乾燥モードにおける温風送風運転の時間より短いものであり、ふとんに比べて体積がはるかに小さい靴の乾燥時間は、ふとんより短くて十分である。
【００２４】
また、請求項９記載のふとん乾燥装置は、請求項７または８に記載のふとん乾燥装置において、前記静電霧化手段を作動させた送風のみの運転時間は、前記靴乾燥モードの方が夏季または通常のふとん乾燥モードより短いものであり、ふとんに比べて体積がはるかに小さい靴に対する静電霧化手段の作動時間は、ふとんより短くて十分である。
【００２５】
また、請求項１０記載のふとん乾燥装置は、請求項１〜９のいずれかに記載のふとん乾燥装置において、前記静電霧化手段を作動させた送風のみの運転を単独で操作可能としたイオン放出モードを備えたものであり、ふとんに付着した花粉、ダニの死骸、糞および臭い、または衣類への付着臭、あるいは靴への付着臭に対するアレルギー活性の不活化または脱臭を特定して静電霧化手段を作動させることができる。
【００２６】
また、請求項１１記載のふとん乾燥装置は、請求項１０に記載のふとん乾燥装置において、前記イオン放出モードの運転時間は、前記夏季または通常のふとん乾燥モード、前記衣類乾燥モードおよび靴乾燥モードのそれぞれにおける静電霧化手段を作動させた送風のみの運転時間としてあらかじめ設定された所定時間から選択可能としたものであり、各モードの運転時間を、効率的な静電霧化手段の作動時間としてあらかじめ設定した所定の時間とすることができる。
【００２７】
また、請求項１２記載のふとん乾燥装置は、請求項１１に記載のふとん乾燥装置において、前記イオン放出モード運転の所定時間は、前記夏季または通常のふとん乾燥モード、前記衣類乾燥モード、靴乾燥モードの順に短いものであり、イオン放出モード運転の所定時間は、各乾燥モードの運転において各モードの静電霧化手段から帯電微細水滴を放出する対象物の体積、汚染等の状態によって効率的な作動時間としてあらかじめ設定された所定時間であり、上記の順に短いものとなる。
【００２８】
以下、本発明の実施の形態について、図１〜図７を参照しながら説明する。
【００２９】
（実施の形態１）
本発明の実施の形態１のふとん乾燥装置は、図１および図２に示すように、乾燥装置本体１と、乾燥装置本体１から吹き出す温風を外部に導くホース２とからなり、ふとんを乾燥するときに使用する乾燥マット３と、衣類を乾燥するときに使用する衣類乾燥カバー（図示せず）と、靴を乾燥するときに使用するアタッチメント吹出口（図示せず）を備えている。
【００３０】
乾燥装置本体１は、本体ケース４の内部に、送風手段である送風機５と、送風機５からの吐出空気を加熱して温風とする加熱手段であるヒーター６と、高電圧が印加される放電極、この放電極に対向して設けた対向電極、および、冷却部と放熱部を備えた熱交換部からなる静電霧化手段７とを設け、また、本体ケース４に、送風機５の吸込口５ａに連通する本体吸込口８と、送風機５とヒーター６によって送風されてくる温風を吹き出す本体吹出口９を形成して、構成されている。
【００３１】
そして、静電霧化手段７は、熱交換部にＤＣ電源を供給すると、熱交換部において熱の移動が生じて冷却部の温度が低下し、また、移動した熱を放熱部から放熱し、この過程において、冷却部にて空気が冷却されて冷却部に設けられた放電極に結露水が付着し、放電極に高電圧を印加して放電させると、水に包まれた微粒子イオンである帯電微細水滴が発生するものであり、帯電微細水滴が送風機５からの送風に放出されるように、放電極を送風機５からヒーター６に至る送風路１０に臨ませている。
【００３２】
また、ふとん乾燥装置は、ふとんを乾燥するふとん乾燥モード、衣類を乾燥する衣類乾燥モード、靴を乾燥するくつ乾燥モード等を備え、図１および図３に示すように、これらのモードの運転を切り替える「運転モード」の切り替えスイッチ１１Ａと、また、前記ふとん乾燥モードを、夏季に乾燥する夏季ふとん乾燥モードと、夏季以外の季節に乾燥する通常ふとん乾燥モード（図３には冬と表示）に分け、さらに、これらのふとん乾燥モードのそれぞれを綿のふとんと羽毛のふとんに分けて、４つのふとん乾燥モードから選択して切り替える「ふとん」の切り替えスイッチ１１Ｂと、前記「運転モード」の各モードとは関係なく、静電霧化手段７を作動させた送風のみの運転をして帯電微細水滴を放出する操作を単独でするイオン放出モードに切り替える「イオン」のスイッチ１１Ｃとを有した操作部１２を本体ケース４の正面に設けている。
【００３３】
次に、上記構成のふとん乾燥装置の運転について説明する。
【００３４】
まず、ふとん乾燥装置の主機能であるふとん乾燥について、さらに具体的には、綿のふとんを乾燥する場合について説明する。
【００３５】
ふとん乾燥の運転にあたり準備として、図２に示すように、掛けふとん１３と敷きふとん１４を入れた袋状の乾燥マット３の吸気口３ａにホース２の吹出口２ａを連通接続する。ここで、掛けふとん１３と敷きふとん１４との間、および、これらのふとん１３，１４と乾燥マット３との間には、温風が通る隙間が形成される状態にするのが望ましい。
【００３６】
そして、操作部１２の「運転モード」の切り替えスイッチ１１Ａによってふとんの運転モードを選定し、さらに、「ふとん」の切り替えスイッチ１１Ｂによって「夏  綿」を選び、夏季ふとん乾燥モードの運転を開始する。
【００３７】
図４に示すように、運転を開始すると、加熱手段であるヒーター６と送風手段である送風機５に通電されて、ふとんを乾燥する時間としてあらかじめ設定された時間Ｔｈｂ温風を送風する。そして、時間Ｔｈｂが経過するとヒーター６への通電が停止して送風機５のみの運転となる。この送風のみの運転は、夏季に温風送風乾燥によりふとんに蓄積した熱気を取り除くためのもので、時間Ｔｆｃ運転される。
【００３８】
一方、静電霧化手段７は、送風のみの運転となった時点から所定時間Ｔ２が経過してから作動が開始する。この所定時間Ｔ２は、ヒーター６が停止して送風のみの運転となり、送風の温度が低下して静電霧化手段７が帯電微細水滴を安定して発生する状態になる時間として、あらかじめ設定された時間である。すなわち、静電霧化手段７は、冷却部で放電極を冷却して、放電極に空気中の水分を結露させて付着し、水分が付着した放電極に高電圧をかけて帯電微細水滴を発生させるものなので、高温・低湿の雰囲気では水分が結露しにくく、したがって、結露が良好に発生する温度まで雰囲気の温度を低下させる必要から、作動を遅延させる所定時間Ｔ２として設定する。
【００３９】
そして、静電霧化手段７は、送風機５と同時に停止する所定時間Ｔ１作動してから停止する。
【００４０】
このように、夏季ふとん乾燥モードによれば、静電霧化手段７を温風送風によるふとん乾燥後の熱気を取り除く送風のみの運転時に作動させるので、静電霧化手段７の作動時間として別途設けることなく、安定して帯電微細水滴を供給することができる。
【００４１】
また、静電霧化手段７は、上述の構成により帯電微細水滴を発生するので、長期間作動させても交換する必要がない。
【００４２】
そして、静電霧化手段７は、ふとんを乾燥する一連の運転の中で作動するので、ふとんを乾燥するごとに静電霧化手段７が作動して、室内に侵入してきてふとんに付着する花粉やウイルス、ダニの死骸・糞、あるいはふとんの付着臭に対して、不活化、脱臭をすることができ、別途これらの花粉、ダニ等の対策を意識して行わなくても、繰り返し行うことができ、その作用効果は顕著なものとなる。
【００４３】
また、静電霧化手段７は、温風送風運転後の送風のみの運転時に作動するように設定されており、この送風のみの運転時間は温風送風運転の時間より短い（一例として、１／２程度）ので、静電霧化手段７の作動時間は温風送風運転の時間よりかなり短いが、この程度の時間で静電霧化手段７における上述の作用効果を奏することができる。
【００４４】
次に、夏季以外の季節にふとんを乾燥する通常ふとん乾燥モードの運転について説明する。
【００４５】
図３に示す「ふとん」の切り替えスイッチ１１Ｂにて、「冬」のモードの綿あるいは羽毛のいずれかを選定して運転を開始する。
【００４６】
図５に示すように、運転を開始すると、通常ふとん乾燥モードでは温風送風乾燥によるふとんの熱気を取り除く送風のみの運転がないので、まず、静電霧化手段７を作動させた送風のみの運転を所定時間Ｔ３（＝Ｔｆ３）行う。
【００４７】
静電霧化手段７は、上記の夏季ふとん乾燥モードと同様に、常温の雰囲気で作動されるので、安定して帯電微細水滴を供給することができる。
【００４８】
また、静電霧化手段７の作動時間は、夏季ふとん乾燥モードにおける作動時間と同程度でよく、一方、ふとん乾燥をする温風送風運転時間も夏季ふとん乾燥モードと同一時間に設定しているので、静電霧化手段７の作動時間として設定されている所定時間Ｔ３は、温風送風運転時間Ｔｈｂ（＝Ｔｆｕ）よりかなり短くてよい。
【００４９】
したがって、ふとん乾燥の前に静電霧化手段７を作動させる時間を設けていても、この作動時間はふとん乾燥の時間に比べてかなり短く、かつ、ふとん乾燥と一連の運転として行われるので、使用者に負担をかけることはない。
【００５０】
次に、夏季または通常のふとん乾燥モードの他に備えた衣類乾燥モードの運転について説明する。
【００５１】
運転にあたり準備として、内部に衣類を入れて吊るす空間を形成する衣類乾燥カバー（図示せず）にホース２の吹出口２ａを連通接続する。
【００５２】
そして、図３に示す「運転モード」の切り替えスイッチ１１Ａにて「衣類乾燥」のモードを選んで運転を開始する。
【００５３】
図６に示すように、運転を開始すると、ヒーター６と送風機５に通電されて衣類を乾燥する温風送風運転が行われる。温風送風運転は、洗濯し濡れている衣類を乾燥するので、上記のふとん乾燥モードにおける温風送風運転より長い所定時間Ｔｈｃ（＝Ｔｆｃ）行われる。
【００５４】
そして、温風送風運転が終了すると、引き続いて静電霧化手段７を作動させた送風のみの運転を行う。この静電霧化手段７の作動時間は、洗濯後の衣類を対象としているので、ふとん乾燥モードにおける静電霧化手段７の作動時間より短く設定されている。
【００５５】
次に、靴乾燥モードの運転について説明する。
【００５６】
運転にあたり準備として、ホース２の吹出口２ａにアタッチメント接続口（図示せず）を取り付け、このアタッチメント接続口を靴の内部奥まで空気を送り込むことができるようにセットする。
【００５７】
そして、図３に示す「運転モード」の切り替えスイッチ１１Ａにて「くつ」を選んで運転を開始する。
【００５８】
図７に示すように、運転を開始すると、ヒーター６と送風機５に通電されて靴を乾燥する温風送風運転時間Ｔｈｓ（＝Ｔｆｓ）行われ、所定時間Ｔｈｓが経過して停止すると、引き続いて静電霧化手段７を作動させた送風のみの運転を所定時間Ｔ５（＝Ｔｆ５）行う。
【００５９】
靴乾燥モードにおける温風送風運転時間Ｔｈｓは、乾燥対象物が靴であるので、丸洗いした場合、雨等で濡れた場合のいずれであっても、上記のふとんや衣類の乾燥における温風送風運転時間より短くてよく、また、靴に付く臭いは強いが、ふとんや衣類に比べてはるかに小さいので、静電霧化手段７の所定時間Ｔ５は、ふとんや衣類の乾燥モードに比べて短くても、その機能を十分に果たすことができる。
【００６０】
そして、ふとん乾燥装置は、上記の温風送風による乾燥運転と一連の運転として静電霧化手段７を作動させる運転モードとは別に、単独で静電霧化手段７を操作して作動させるイオン放出モードを備えている。
【００６１】
例えば、季節の変わり目に出してきたふとん、または収納しておくふとんに対して、あるいは、花粉の飛散が激しい時期に、ふとんや帰宅した際の衣類あるいは靴に対して、帯電微細水滴を噴霧するイオン放出モードを、「イオン」の切り替えスイッチ１１Ｃを押して運転することができる。
【００６２】
イオン放出モードの運転時間は、上述の夏季ふとん乾燥モード、通常ふとん乾燥モード、衣類乾燥モードおよび靴乾燥モードのそれぞれにおける静電霧化手段７の作動時間として設定した所定時間の中から選ぶことができ、これらの運転時間は上述のとおり、ここに記載された所定時間の順に短いものとなっている。
【００６３】
そして、イオン放出モードの運転の対象物の種類、汚染・付着量の程度等によって、これらの時間から選定することができ、効率的な運転ができることとなる。
【産業上の利用可能性】
【００６４】
本発明に係るふとん乾燥装置は、ふとん乾燥の機能とともに、構成部品や付属品を長期にわたって交換することなく、花粉やダニの死骸、糞等によるアレルギー活性を不活化する機能を発揮でき、しかも、これらの機能をふとん乾燥と一連の運転によって発揮することができ、使い勝手の優れたふとん乾燥装置として有用である。
【符号の説明】
【００６５】
１    乾燥装置本体
２    ホース
３    乾燥マット
４    本体ケース
５    送風機
６    ヒーター
７    静電霧化手段
８    本体吸込口
９    本体吹出口
１０  送風路
【図１】
0005581794.tif 000002
【図２】
0005581794.tif 000003
【図３】
0005581794.tif 000004
【図４】
0005581794.tif 000005
【図５】
0005581794.tif 000006
【図６】
0005581794.tif 000007
【図７】
0005581794.tif 000008